(57)【特許請求の範囲】
【請求項１】
オンタンク型の水洗トイレ用薬液剤供給装置であって、液状薬剤を収容する容器と、該容器の連通口に挿入された細孔、細溝からなる微細輸送路構造を有する液体供給栓と、漏洩した薬液剤を保持する貯留槽を具備した台座からなるオンタンク型薬液剤供給装置。
【請求項２】
薬液剤の０〜３０℃における粘度が１００〜３，０００ｍＰａｓである請求項１に記載のオンタンク型薬液剤供給装置。
【請求項３】
１日あたりの薬液剤供給量が０．３〜５ｇであり、製品容量が２０〜１５０ｇである請求項１又は２のいずれかに記載のオンタンク型薬液剤供給装置。
【請求項４】
液体供給栓が、圧力調節のための開口部を有し、開口部の上端が気相部に開口されている請求項１〜３のいずれかに記載のオンタンク型薬液剤供給装置。
【発明の詳細な説明】
【０００１】
【発明が属する技術分野】
本発明は、、オンタンク型の水洗トイレ用薬液剤供給装置であって、より詳しくは、液状薬剤を収容する容器と、該容器の連通口に挿入された微細輸送路構造を有する液体供給栓と、漏洩した薬液剤を保持する貯留槽を具備した台座からなる液体タイプの芳香脱臭洗浄剤容器に関する。
【０００２】
【従来の技術】
従来の水洗トイレ用オンタンク型芳香脱臭洗浄剤として利用されてきたものは固形状製品であり、溶融流し込み法、練り押出し成型法などのような方法で製造されてきた。しかし、溶融流し込み法により製造されたものは収縮空洞の発生や均質性の欠如などの回避が困難であり、押出し成型法にあっては、混練均質性の確保が困難などの大きな弱点があり、重要な製品特性の一つである均質溶解性に悪影響を与えていた。
【０００３】
更に、固形タイプの使用法は、薬剤表面を洗い流せる構造を持った容器内に配設されて用いられてきたが、洗い流される表面積が大きく変化するため溶出量の経時変化が大きくなる欠点があった。
【０００４】
そこで製造工程がより簡単な液状薬剤を用いた水洗トイレ用オンタンク型芳香脱臭洗浄装置として、芳香脱臭洗浄液を収容するボトルと、該ボトルに被冠するキャップと、該キャップのシリンダ部を揺動することによって定量の芳香脱臭洗浄液が滴下されるフロートピストンと、キャップによるボトルへの被冠をシールするパッキングとでなる水洗トイレ用芳香脱臭洗浄液滴下装置（特開平６−１１７００３号公報）、芳香脱臭洗浄液剤を収容するボトルと、ボトルに被冠し、シリンダ部を頂盤部に形成したキャップと、キャップのシリンダ部を往復揺動するピストン部に、放射状アームを備え、これに接続される環状浮体を設けた浮動栓と、該浮動栓の環状浮体の内周側に位置し、放射状アームの立上がり頂部を支承するとともに水洗タンク蓋上の手洗い部に流れる水を堰止める突堤部、手洗い部の流し込み口に挿入しセットするノズル、及びボトルを手洗い部に設置させる台座でなるカバー台座とからなる水洗トイレ用芳香脱臭洗浄液剤滴下装置（特開平７−１８７１６号公報）などが検討されている。
【０００５】
【発明が解決しようとする課題】
しかしながら、製造工程の簡単な液状薬剤を用いた水洗トイレ用オンタンク型芳香脱臭洗浄装置は、定量供給の困難さの点から製品化されたとの情報はほとんどなく、該製品カテゴリーにおいて全くの空白域の製品形態であった。本発明の目的は、貯水タンクの貯水の度に、貯水タンク内の水洗用水に液状薬剤を供給し、該液状薬剤がつきるまで、常時一定量を供給することができるオンタンク型薬液剤供給装置を開発することにある。
【０００６】
【課題を解決するための手段】
そこで本発明者らは、上記課題を解決するため鋭意改良を重ねた結果、液状薬剤を収容する容器と、該容器の連通口に挿入された微細輸送路構造を有する液体供給栓と、漏洩した薬液剤を保持する液体貯留槽を具備した台座からなるオンタンク型薬液剤供給装置を利用することにより、上記課題を解決することを見出し本発明を完成した。
【０００７】
従って、本発明の１は、オンタンク型の水洗トイレ用薬液剤供給装置であって、液状薬剤を収容する容器と、該容器の連通口に挿入された細孔、細溝からなる微細輸送路構造を有する液体供給栓と、漏洩した薬液剤を保持する貯留槽を具備した台座からなるオンタンク型薬液剤供給装置である。また、本発明の２は、上記オンタンク型薬液剤供給装置において、薬液剤の０〜３０℃における粘度が１００〜３，０００ｍＰａｓであり、また、本発明の３は、上記オンタンク型薬液剤供給装置において、１日あたりの薬液剤供給量が０．３〜５ｇであり、製品容量が２０〜１５０ｇであり、また、本発明の４は、上記オンタンク型薬液剤供給装置において、液体供給栓が、圧力調節のための開口部を有し、開口部の上端が気相部に開口されており、また、本発明の５は、上記オンタンク型薬液剤供給装置において、薬液剤の流量制御として、前記開口部の数点を閉鎖可能とする篏合遮蔽壁を備えた流量調整用中栓を有し、また、本発明の６は、上記オンタンク型薬液剤供給装置において、漏洩してきた薬液剤を一時的に保持貯留する液体貯留槽が吸保液構造又は槽状構造を有し、またさらに、本発明の７は、上記オンタンク型薬液剤供給装置において、薬液剤供給時に、薬液剤を収納した容器の連通口に液体供給栓を挿入し液体貯留槽を有する前記台座と接合して使用するオンタンク型薬液剤供給装置を提供することである。
【０００８】
【発明の実施の形態】
以下、本発明の実施例を示す図面に基づいて説明する。
【０００９】
図１及び図２は、本発明のオンタンク型の水洗トイレ用薬液剤供給装置であって、液状薬剤（１）を収容する容器（２）と、該容器の連通口（３）に挿入された微細輸送路構造を有する液体供給栓（４）と、漏洩した薬液剤を保持する液体貯留槽（５）を具備した台座（６）からなるオンタンク型薬液剤供給装置を示す説明図である。
【００１０】
液状薬剤を収容する容器の形状、材質は特に限定されず、液状薬剤を安定に収容できるものであればよく、その材質は、例えば、ポリエステル、ポリプロピレンなどを例示することができる。
【００１１】
図３は、液状薬剤を収容する容器の連通口（３）に挿入される微細輸送路構造を有する液体供給栓を示す説明図である。微細輸送路構造としては、特に限定されないが、例えば、図３の（４−１）などで示される細孔、すなわち、円筒プラグ状の供給栓の円筒壁を貫通し円筒内外を連通させる１ヶ以上の所定の細孔を設けたもの、また例えば、図３の（４−２）及び（４−３）などで示される細溝、すなわち、プラグ状の供給栓の壁に１本以上の細溝、ネジ式、タッピングネジ式などによる１本の細溝、プラグ締め付け式などによる細溝などを例示することができる。
【００１２】
液体供給栓の材質としては、細孔、細溝からなる液体供給栓は、例えば、ポリプロピレン、ポリアセタール、ナイロンなどのプラスチック類、ステンレススチールなどの金属などが例示され、繊維集合体からなる液体供給栓は、例えば、ポリエチレン、ポリプロピレン、ポリエステル、人絹、綿、羊毛などの繊維が例示され、更に、多孔質体からなる液体供給栓は、例えば、プラスチック類の焼結成型体、金属焼結体、素焼（陶器）などが例示される。
【００１３】
液体供給栓の成型方法としては、特に限定されないが、細孔、細溝からなる液体供給栓は、例えば、射出成型、ダイキャスト法などが例示され、繊維集合体からなる液体供給栓は、例えば、繊維束溶融溶着成型法、圧縮法、加熱圧縮法などが例示され、更に、多孔質体からなる液体供給栓は、例えば、型内焼結成型、連続押出成型法などの方法を例示することができる。また、液体供給栓は、台座と組み合わせて用いることも、台座と一体成型して用いることも、さらに、液体貯留槽および台座と一体成型して用いることもできる。
【００１４】
本発明の液体供給栓には、容器内外の圧力調節のため開口部の上端が気相部に開口されている換気用連通路（７）が具備されている（図１〜図６）。液体供給栓に換気用連通路（７）を具備する方法としては、特に限定されないが、例えば、液体供給栓の構造を中空プラグ状とし先端に換気口を設ける中空プラグ方式による方法、又、毛細管体、多孔質体などの液体供給栓に非毛管性細管を組み込む換気管組み込み方式による方法などが例示される。
【００１５】
図５の（８）は、細孔、細溝からなる微細輸送路構造を有する液体供給栓において、薬液剤の流量制御として、開口部の数点を閉鎖可能とする篏合遮蔽壁を備えた流量調整用中栓を有する液体供給栓を例示する説明図である。
【００１６】
図６は、漏洩してきた薬液剤を一時的に保持貯留する液体貯留槽を示す説明図である。液体貯留槽としては、例えば、図６に示される毛細管体、多孔質などの吸保液構造（５−１）を有するものが好適であり、吸保液構造の液体貯留槽は細孔などを有してもよい。また、表面に細溝を有する細溝式（５−２）、表面にくぼみを有するディンプル式（５−３）、プール式などの槽状構造を有するものを例示することもできる。いずれも、薬液剤を一時的に保持貯留し、手洗水が排出口に向かって流れる際、該薬液剤を流水により洗い出し、下部の水洗タンク内に支障なく供給させる構造であればよい。
【００１７】
吸保液構造の液体貯留槽の素材としては、毛細管体は、例えば、ポリエチレン、ポリプロピレン、不織布、フェルトなどの繊維を例示することができ、多孔質体は、例えば、連続気泡型の合成樹脂（スポンジ）、エラストマー発泡体、陶製素焼などの透水性多孔質樹脂を例示することができる。また、槽状構造の液体貯留槽の材質としては、例えば、ポリプロピレン、ポリアセタール、ポリエステルなどのプラスチック類などを例示することができる。液体貯留槽は、台座または液体供給栓および台座と一体成型して利用することもできる。
【００１８】
薬液剤の成分としては、芳香剤、脱臭剤、洗浄剤、着色剤、殺菌剤、溶剤などが例示され、これらの１種又は２種以上を組み合わせて使用することができる。薬液剤の１日あたりの供給量は特に限定されず、使用態様によって異なるが、例えば、０．３〜５ｇであり、製品容量としては、例えば、２０〜１５０ｇを例示することができる。薬液剤の供給量が０．３〜５ｇ／日となるように調製される薬液剤の０〜３０℃における粘度が１００〜３，０００ｍＰａｓである。（上述した粘度は、ＲＶ型デジタル粘度計（ＢＲＯＯＫ ＦＩＥＬＤ社製）を使用し、ローターＮｏ．４，回転数２０ＲＰＭ、測定時間１分間で測定した。）
【００１９】
本発明のオンタンク型水洗トイレ用薬液剤供給装置は、手洗い部の水洗タンク内への排出口上に載置して使用される。つまり、予め、薬液剤を容器に充填してシール、カートリッジなどにより栓封した薬剤カートリッジ体を、該カートリッジ体の中栓の連通口に液体供給栓を挿入し、貯留槽及び台座と接合して、容器が倒立状態になるように手洗い部に設置して使用する。薬液剤は、細孔、細溝などからなる微細輸送構造を有する液体供給栓を通して、定量漏洩により流出した薬液剤を、貯留槽において一時貯留し、手洗水が排出口に向かって流れる際、該貯留槽と接触し、一時貯留された薬液剤を洗い出し、下部の水洗タンクに流入する。更に、薬液剤を収容する容器から漏洩して貯留槽に保持貯留された芳香剤、脱臭剤などが、常時継続的に適度な芳香を発散し、消臭効果にも優れる。
【００２０】
【発明の効果】
本発明は、 薬剤が液体タイプであるため、薬液剤の生産は、溶解、ブレンドなどの簡単な製造工程のみで可能となり、工程及び品質管理が容易かつ経済性に優れる。また、本発明は、水洗トイレ用オンタンク型芳香脱臭洗浄装置の定量供給の困難さを解決し、貯水タンクの貯水の度に、薬液剤を貯水タンク内の水洗用水に供給し、該薬液剤がつきるまで、常時一定量を供給することができる水洗トイレ用オンタンク型薬液剤供給装置を提供することにある。
【図面の簡単な説明】
【図１】本発明のオンタンク型水洗トイレ用薬液剤供給装置を示す説明図である。
【図２】本発明のオンタンク型水洗トイレ用薬液剤供給装置を示す説明図である。
【図３】本発明の細孔及び細溝からなる微細輸送路構造を有する液体供給栓を示す説明図である。
【図４】本発明の毛細管体及び多孔質体からなる微細輸送路構造を有する液体供給栓を示す説明図である。
【図５】流量調整用中栓を有する液体供給栓を示す説明図である。
【図６】薬液剤を一時的に保持貯留する液体貯留槽を示す説明図である。
【符号の説明】
１  液体薬剤
２  容器（薬剤カートリッジ）
３  連通口
４  液体供給栓
４−１  細孔を有する液体供給栓
４−２  細溝を有する液体供給栓
４−３  ネジ式細溝を有する液体供給栓
４−４  毛細管体からなる液体供給栓
４−５  多孔質体からなる液体供給栓
５  液体貯留槽
５−１  吸保液構造の液体貯留槽
５−２  細溝式槽状構造の液体貯留槽
５−３  ディンプル式槽状構造の液体貯留槽
６  台座
７  圧力調節用の開口部
８  篏合遮蔽壁を備えた流量調整用中栓
９  液体供給栓の細孔
【図１】
0004673969.tif 000002
【図２】
0004673969.tif 000003
【図３】
0004673969.tif 000004
【図４】
0004673969.tif 000005
【図５】
0004673969.tif 000006
【図６】
0004673969.tif 000007